(57)【要約】【課題】ユーザが駆動源に触れることを抑制しつつ、駆動源から発生する熱を排熱することができる画像形成装置を提供すること。【解決手段】  プリンタ１のフレーム４１には、モータ７１を囲って支持するモータ支持部５１が形成されている。モータ支持部５１は、上方部分において、複数の上方開口部５２Ａ、複数の中間開口部５４Ａ、および、複数の右方開口部５５Ｃを有している。そのため、モータ支持部５１により、ユーザがモータ７１に直接触れることを抑制できる。また、複数の上方開口部５２Ａ、複数の中間開口部５４Ａ、および、複数の右方開口部５５Ｃを介して、モータ７１から発生する熱を排熱できる。【選択図】図４
2015087588.tif 000002
【特許請求の範囲】
【請求項１】
フレームを有する装置本体と、
駆動力を発生させるように構成される駆動源と、
前記駆動源からの駆動力が付与されるように構成されるギア機構と、
前記フレームに形成され、前記駆動源を囲って支持する駆動源支持部と、を備え、
前記駆動源支持部は、少なくとも上方部分において、互いに間隔を隔てて位置する複数の第１開口部を有することを特徴とする、画像形成装置。
【請求項２】
前記装置本体に離脱可能に装着され、前記フレームに支持されているプロセスカートリッジをさらに備え、
前記駆動源は、前記プロセスカートリッジに対して上方に位置することを特徴とする、請求項１に記載の画像形成装置。
【請求項３】
前記駆動源支持部は、下方部分において、前記駆動源を被覆する被覆部を有することを特徴とする、請求項２に記載の画像形成装置。
【請求項４】
前記プロセスカートリッジは、現像剤像を担持する感光ドラムをさらに備え、
前記ギア機構は、前記感光ドラムに駆動力を付与するように構成される伝達ギアを備え、
上下方向に投影したときに前記駆動源と前記伝達ギアとが重なることを特徴とする、請求項２または３のいずれか一項に記載の画像形成装置。
【請求項５】
前記駆動源が取り付けられ、前記駆動源の回転の軸方向において前記駆動源を挟んで前記駆動源支持部と反対側に位置する駆動基板をさらに備え、
前記フレームは、前記駆動基板に対して上方に位置し、かつ、前記駆動源支持部から前記軸方向に沿って延びる第１壁を備え、
前記第１壁は、複数の第２開口部を有していることを特徴とする、請求項２ないし４のいずれか一項に記載の画像形成装置。
【請求項６】
前記駆動基板は、フレキシブルケーブルが接続されており、
前記フレキシブルケーブルは、前記駆動基板から上方に延びていることを特徴とする、請求項５に記載の画像形成装置。
【請求項７】
前記駆動源支持部は、
前記駆動源の上方に位置し、前記駆動源の上方を囲う上壁と、
前記駆動源の下方に位置し、前記駆動源の下方を囲う下壁と、
前記上壁の前記軸方向の端部と、前記下壁の前記軸方向の端部とに連続する側壁とをさらに備え、
前記フレームは、前記上壁から連続して上方に向かって延びる第２壁を備え、
前記第１壁は、前記第２壁の上端から前記軸方向において前記上壁側から前記基板側に向けて延びており、
前記フレキシブルケーブルは、前記第１壁と前記駆動基板との間を通って、前記駆動基板に対して前記駆動源支持部と反対側に引き回されていることを特徴とする、請求項６に記載の画像形成装置。
【発明の詳細な説明】
【技術分野】
【０００１】
本発明は、電子写真方式が採用される画像形成装置に関する。
【背景技術】
【０００２】
電子写真方式が採用される画像形成装置として、モータと、複数のギアとを備える画像形成装置が知られている。モータの駆動力は、各ギアに付与される。また、各ギアは、画像形成装置内の複数の回転体に接続されており、各ギアを介して複数の回転体にモータから駆動力が付与される。
【０００３】
このような画像形成装置として、本体フレームと、本体フレームの一側面に取り付けられたギアユニットとを備える画像形成装置が知られている。ギアユニットは、メインモータと、メインモータの駆動力が付与されるギアとを備えている。メインモータおよびギアは、本体フレームに回転可能に支持されている。ギアは、画像形成装置内の感光ドラムに駆動力を付与するように構成されている。これにより、メインモータの駆動力がギアに付与され、その結果、感光ドラムが回転する（例えば、特許文献１参照）。
【先行技術文献】
【特許文献】
【０００４】
【特許文献１】特開２００５−３１４４７号公報
【発明の概要】
【発明が解決しようとする課題】
【０００５】
しかるに、上記特許文献１に記載の画像形成装置では、メインモータが本体フレームから内方側に突出するように位置している。この場合、ユーザが操作時やメンテナンス時においてメインモータに直接触れないように、メインモータの周りをカバー部材により覆うことが検討される。一方、メインモータは発熱するため、メインモータをカバー部材により完全に覆うと、メインモータの周りの熱が排熱されず、メインモータの安定的な動作を妨げるおそれがある。
【０００６】
そこで、本発明の目的は、ユーザが駆動源に触れることを抑制しつつ、駆動源から発生する熱を排熱することができる画像形成装置を提供することにある。
【課題を解決するための手段】
【０００７】
（１）上記目的を達成するために、本発明の画像形成装置は、フレームを有する装置本体と、駆動力を発生させるように構成される駆動源と、駆動源からの駆動力が付与されるように構成されるギア機構と、フレームに形成され、駆動源を囲って支持する駆動源支持部と、を備える。駆動源支持部は、少なくとも上方部分において、互いに間隔を隔てて位置する複数の第１開口部を有する。
【０００８】
このような構成によれば、フレームには、駆動源を囲って支持する駆動源支持部が形成される。
【０００９】
そのため、駆動源支持部により、ユーザが駆動源に直接触れることを抑制できる。
【００１０】
また、駆動源支持部は、少なくとも上方部分において、複数の第１開口部を有する。
【００１１】
そのため、複数の第１開口部を介して、駆動源から発生する熱を排熱できる。
（２）また、装置本体に離脱可能に装着され、フレームに支持されているプロセスカートリッジをさらに備えてもよい。駆動源は、プロセスカートリッジに対して上方に位置してもよい。
【００１２】
このような構成によれば、駆動源は、プロセスカートリッジに対して上方に位置する。
【００１３】
そのため、駆動源から発生する熱がプロセスカートリッジに作用することを抑制できる。
【００１４】
その結果、プロセスカートリッジの安定的な動作を保つことができる。
【００１５】
また、駆動源支持部の複数の第１開口部が、プロセスカートリッジに対して上方に位置する。
【００１６】
その結果、駆動源の周りの熱を排熱する際に、プロセスカートリッジが排熱の妨げになることを防ぐことができる。
（３）また、駆動源支持部は、下方部分において、駆動源を被覆する被覆部を有してもよい。
【００１７】
このような構成によれば、駆動源支持部の上方部分に複数の第１開口部が位置し、駆動源支持部の下方部分に被覆部が位置する。
【００１８】
そのため、駆動源支持部の下方部分において、ユーザが駆動源に直接触れることを抑制できる。
（４）また、プロセスカートリッジは、現像剤像を担持する感光ドラムをさらに備えてもよい。ギア機構は、感光ドラムに駆動力を付与するように構成される伝達ギアを備えてもよい。上下方向に投影したときに駆動源と伝達ギアとが重なってもよい。
【００１９】
このような構成によれば、上下方向に投影したときに駆動源と伝達ギアとが重なる。
【００２０】
そのため、画像形成装置が上下方向と直交する方向に拡がることを抑制できる。
【００２１】
その結果、画像形成装置を小型化できる。
（５）また、駆動源が取り付けられ、駆動源の回転の軸方向において駆動源を挟んで駆動源支持部と反対側に位置する駆動基板をさらに備えてもよい。フレームは、駆動基板に対して上方に位置し、かつ、駆動源支持部から軸方向に沿って延びる第１壁を備えてもよい。第１壁は、複数の第２開口部を有してもよい。
【００２２】
このような構成によれば、第１壁は、駆動基板に対して上方に位置する。
【００２３】
そのため、第１壁によって、駆動基板を保護することができる。
【００２４】
また、第１壁は、複数の第２開口部を有する。
【００２５】
そのため、第２開口部を介して駆動源から発生する熱を排熱できる。
（６）また、駆動基板は、フレキシブルケーブルが接続されていてもよい。フレキシブルケーブルは、駆動基板から上方に延びていてもよい。
【００２６】
このような構成によれば、フレキシブルケーブルは、駆動基板から上方に延びている。
【００２７】
そのため、画像形成装置内において、スペースを有効活用してフレキシブルケーブルを配置することができる。
【００２８】
また、駆動源から発生する熱がフレキシブルケーブルに作用することを抑制できる。
（７）また、駆動源支持部は、駆動源の上方に位置し、駆動源の上方を囲う上壁と、駆動源の下方に位置し、駆動源の下方を囲う下壁と、上壁の軸方向の端部と、下壁の軸方向の端部とに連続する側壁とをさらに備えてもよい。フレームは、上壁から連続して上方に向かって延びる第２壁を備えてもよい。第１壁は、第２壁の上端から軸方向において上壁側から基板側に向けて延びていてもよい。フレキシブルケーブルは、第１壁と駆動基板との間を通って、駆動基板に対して駆動源支持部と反対側に引き回されていてもよい。
【００２９】
このような構成によれば、フレキシブルケーブルは、第１壁と駆動基板との間を通る。
【００３０】
そのため、フレキシブルケーブルを第１壁によって保護できる。
【００３１】
また、フレキシブルケーブルは、駆動基板に対して駆動源支持部と反対側に引き回されている。
【００３２】
そのため、画像形成装置内において、スペースを有効活用してフレキシブルケーブルを配置することができる。
【発明の効果】
【００３３】
本発明の画像形成装置では、ユーザが駆動源に触れることを抑制しつつ、駆動源から発生する熱を排熱することができる。
【図面の簡単な説明】
【００３４】
【図１】図１は、本発明の画像形成装置の一実施形態としてのプリンタを示す側断面図である。
【図２】図２は、図１に示すプリンタのフレームの平面図である。
【図３】図３は、図１に示すプリンタのフレームを右方から見た状態を示す側面図である
【図４】図４は、図３に示すフレームのＡ−Ａ断面図である。
【図５】図５は、図１に示すプリンタのフレームを右上方から見た状態を示す斜視図である。
【図６】図６は、図１に示すプリンタのフレームを左方から見た状態を示す側面図である。
【発明を実施するための形態】
【００３５】
１．プリンタの全体構成
画像形成装置の一例としてのプリンタ１は、図１に示すように、電子写真方式のモノクロプリンタである。プリンタ１は、装置本体の一例としての本体ケーシング２と、給紙部３と、画像形成部４と、排紙部５とを備えている。
【００３６】
本体ケーシング２は、略ボックス形状を有しており、給紙部３と、画像形成部４と、排紙部５とを収容している。
【００３７】
なお、以下の説明において、方向について言及する場合には、プリンタ１を水平に載置した状態を上下の基準とする。すなわち、図１の紙面上方が上方であり、紙面下方が下方である。また、図１における紙面右方を前方とし、図１における紙面左方を後方とする。また、プリンタ１を前方から見たときを左右の基準とする。すなわち、図１の紙面手前が左方であり、紙面奥が右方である。なお、具体的には、各図において方向を矢印にて示す。また、左右方向が第１方向の一例であり、前後方向が第２方向の一例であり、上下方向が第３方向の一例である。
【００３８】
本体ケーシング２は、カートリッジ開口９と、フロントカバー１０とを有している。
【００３９】
カートリッジ開口９は、本体ケーシング２の前端部に配置されており、本体ケーシング２の前壁を前後方向に貫通している。フロントカバー１０は、その下端部を支点として、本体ケーシング２の前壁に揺動可能に支持されている。フロントカバー１０は、カートリッジ開口９を開放または閉鎖する。
【００４０】
給紙部３は、用紙Ｐを画像形成部４に供給するように構成されており、本体ケーシング２内の底部に配置されている。
【００４１】
給紙部３は、給紙トレイ１２を備えている。給紙トレイ１２は、本体ケーシング２に対して装着または離脱するように構成されている。給紙トレイ１２は、上方に向かって開放される略ボックス形状を有しており、用紙Ｐを複数枚収容している。
【００４２】
画像形成部４は、用紙Ｐに画像を形成するように構成されている。画像形成部４は、本体ケーシング２内において給紙部３の上方に配置されている。画像形成部４は、プロセスカートリッジ１５と、スキャナユニット１６と、定着ユニット１７とを備えている。
【００４３】
プロセスカートリッジ１５は、カートリッジ開口９を介して、本体ケーシング２に対して装着または離脱するように構成されている。プロセスカートリッジ１５は、本体ケーシング２に装着された状態において、本体ケーシング２の上下方向略中央に配置されている。
【００４４】
プロセスカートリッジ１５は、ドラムカートリッジ１８と、現像カートリッジ１９とを備えている。
【００４５】
ドラムカートリッジ１８は、感光ドラム２０と、転写ローラ２１と、スコロトロン型帯電器２２とを備えている。
【００４６】
感光ドラム２０は、ドラムカートリッジ１８の後端部に配置されている。感光ドラム２０の端部には、図３に仮想線で示すドラムギア９０が相対回転不能に取り付けられている。
【００４７】
図１に示すように、転写ローラ２１は、感光ドラム２０の下方に配置されている。転写ローラ２１の上端部は、感光ドラム２０の下端部と接触している。
【００４８】
スコロトロン型帯電器２２は、感光ドラム２０の後上方において、感光ドラム２０に対して僅かな間隔を空けて配置されている。
【００４９】
現像カートリッジ１９は、ドラムカートリッジ１８に装着または離脱するように構成されており、ドラムカートリッジ１８に装着された状態で、感光ドラム２０の前上方に配置されている。
【００５０】
現像カートリッジ１９は、現像ローラ２６と、供給ローラ２７と、層厚規制ブレード２８とを備えている。現像カートリッジ１９は、トナーを内部に収容している。
【００５１】
現像ローラ２６は、現像カートリッジ１９の後端部に配置されており、現像ローラ２６の後上方部は、現像カートリッジ１９から露出している。そして、現像ローラ２６の後端部は、感光ドラム２０の前端部に接触している。
【００５２】
供給ローラ２７は、現像ローラ２６に対して前下方に配置されている。また、供給ローラ２７の後上端部は、現像ローラ２６の前下端部に圧接している。
【００５３】
層厚規制ブレード２８は、現像ローラ２６の前上方に配置されている。層厚規制ブレード２８は、側面視において上下方向に延びる板状を有しており、層厚規制ブレード２８の下端部は、現像ローラ２６の前上端部に接触している。
【００５４】
スキャナユニット１６は、本体ケーシング２内において、プロセスカートリッジ１５の上方に配置されている。スキャナユニット１６は、図１に実線で示すように、感光ドラム２０に向けて、画像データに基づくレーザービームＬを出射し、感光ドラム２０の周面を露光する。
【００５５】
定着ユニット１７は、本体ケーシング２内において、プロセスカートリッジ１５の後方に間隔を空けて配置されている。
【００５６】
定着ユニット１７は、加熱ローラ３０と、加熱ローラ３０に対して後下方から接触する加圧ローラ３１とを備えている。
【００５７】
排紙部５は、定着ユニット１７の後上方に位置している。排紙部５は、排紙トレイ１３と、１対の排紙ローラ３２とを備えている。
【００５８】
排紙トレイ１３は、本体ケーシング２の上壁の後方部分に配置されている。排紙トレイ１３は、用紙Ｐが載置されるように、本体ケーシング２の上面から下方に向かって凹んでいる。
【００５９】
１対の排紙ローラ３２のそれぞれは、本体ケーシング２内において、排紙トレイ１３の後上方に間隔を隔てて位置している。１対の排紙ローラ３２のそれぞれは、後上方と前下方とを結ぶ方向において、互いに接触している。
【００６０】
そして、プリンタ１において、図示しない制御部の制御により、画像形成動作が開始すると、スコロトロン型帯電器２２が、感光ドラム２０の表面を一様に帯電する。その後、スキャナユニット１６が、画像データに基づいて感光ドラム２０の表面を露光する。これにより、画像データに基づく静電潜像が、感光ドラム２０の表面に形成される。
【００６１】
また、供給ローラ２７は、トナーを現像ローラ２６に供給する。このとき、トナーは、現像ローラ２６と供給ローラ２７との間で正極性に摩擦帯電され、現像ローラ２６上に担持される。層厚規制ブレード２８は、現像ローラ２６上に担持されたトナーを一定厚さに規制する。そして、現像ローラ２６は、一定厚みとして担持するトナーを感光ドラム２０の表面上の静電潜像に供給する。これにより、感光ドラム２０の表面上にトナー像が担持される。
【００６２】
用紙Ｐは、給紙トレイ１２から、各種ローラの回転により、所定のタイミングで１枚ずつ、感光ドラム２０と転写ローラ２１との間に給紙される。感光ドラム２０上のトナー像は、感光ドラム２０と転写ローラ２１との間を通過するときに、用紙Ｐに転写される。
【００６３】
その後、用紙Ｐは、定着ユニット１７を経て、１対の排紙ローラ３２に向かうように搬送される。このとき、用紙Ｐは、加熱ローラ３０と加圧ローラ３１との間を通過するときに加熱および加圧される。これにより、用紙Ｐ上のトナー像は、用紙Ｐに熱定着される。その後、用紙Ｐは、１対の排紙ローラ３２により、後方から前方に向かって排紙トレイ１３上に排紙される。
【００６４】
このように用紙Ｐは、プリンタ１の画像形成動作において、給紙トレイ１２から排紙トレイ１３へ、側面視略Ｓ字状の搬送経路中を搬送される。
２．本体ケーシングの詳細
図２、図３および図４に示すように、本体ケーシング２は、フレーム４１を備えている。
（１）フレーム
フレーム４１は、側面視略矩形の枠形状を有している。フレーム４１は、図示しないフレームと対をなしており、図示しないフレームに対して左右方向に間隔を隔てて位置している。すなわち、フレーム４１は、対をなすフレームのうち左方に位置するフレームである。フレーム４１と右方のフレームとの間には、スキャナ支持部４２が架設されている。
【００６５】
スキャナ支持部４２は、上方に向かって開放する平面視略矩形の有底枠形状を有しており、側面視において、フレーム４１の前上端部に位置している。スキャナ支持部４２は、前方から後方に向かうにつれてやや下方に向かうように傾斜している。スキャナ支持部４２は、上記したスキャナユニット１６を支持している。
【００６６】
フレーム４１は、凹部４３と、駆動源支持部の一例としてのモータ支持部５１と、ギア機構８１とを有している。
（２）凹部
図３および図５に示すように、凹部４３は、フレーム４１の前方部分であって、上下方向略中央部分に位置している。凹部４３は、前方が開放される側面視略コ字状であって、フレーム４１の右面から左方に向かって窪む形状を有している。凹部４３は、側面視において、スキャナユニット１６およびスキャナ支持部４２の下方に位置している。凹部４３は、上記したプロセスカートリッジ１５を受け入れるためのガイドである。プロセスカートリッジ１５を、本体ケーシング２に装着する際は、プロセスカートリッジ１５の左端部が凹部４３に係合する。
（３）モータ支持部
図３、図４および図５に示すように、モータ支持部５１は、フレーム４１の上方部であって、前後方向中央部に形成されている。モータ支持部５１の上方には、第１壁５２と、第２壁５３とが位置している。
【００６７】
第１壁５２は、フレーム４１の上端部であって、前後方向中央部から右方に延びている。第１壁５２は、平面視略矩形の平板形状を有しており、前後方向に延びている。第１壁５２は、複数の第２開口部の一例としての上方開口部５２Ａを有している。
【００６８】
複数の上方開口部５２Ａは、第１壁５２の前後方向中央部であって、右端部に位置しており、第１壁５２を上下方向に貫通している。複数の上方開口部５２Ａのそれぞれは、平面視略矩形状を有している。複数の上方開口部５２Ａは、前後方向において、互いに間隔を隔てて位置している。
【００６９】
第２壁５３は、第１壁５２の右端部から下方に向かって延びている。第２壁５３は、側面視略矩形の平板形状を有しており、前後方向に延びている。
【００７０】
モータ支持部５１は、右方が閉鎖された略筒形状を有しており、上壁５４と、側壁の一例としての右壁５５と、前壁５６と、後壁５７と、下壁５８とを備えている。
【００７１】
上壁５４は、第２壁５３の下端部から右方に向かって延びている。上壁５４は、略前後方向に延びている。上壁５４は、上前方部５４Ｂと、上弧状部５４Ｃと、上後方部５４Ｄとを備えている。
【００７２】
上前方部５４Ｂは、上壁５４の前方部に位置している。上前方部５４Ｂは、平面略矩形の平板形状を有しており、前後方向に延びている。
【００７３】
上弧状部５４Ｃは、平面視略矩形であって、側面視において上方に向かって湾曲する板形状を有しており、上前方部５４Ｂの後端から後方に延びている。上弧状部５４Ｃの曲率半径は、後述するモータ本体７２の曲率半径とほぼ同じである。上弧状部５４Ｃは、複数の第１開口部の一例としての中間開口部５４Ａを有している。
【００７４】
複数の中間開口部５４Ａは、上弧状部５４Ｃのほぼ全域に位置しており、上弧状部５４Ｃを上下方向に貫通している。複数の中間開口部５４Ａのそれぞれは、平面視略矩形状を有している。複数の中間開口部５４Ａは、前後方向、かつ、左右方向において、互いに間隔を隔てて整列するように位置している。
【００７５】
上後方部５４Ｄは、平面略矩形の平板形状を有しており、上弧状部５４Ｃの後端から後方に延びている。
【００７６】
右壁５５は、上壁５４の右端部から下方に向かって延びている。右壁５５は、側面視略矩形の平板形状を有しており、前後方向に延びている。右壁５５は、上方部分を構成する右上部５５Ａと、下方部分を構成する右下部５５Ｂとを備えている。右上部５５Ａと右下部５５Ｂとは、断面直線状に構成されている。右上部５５Ａは、段差部５５Ｄと、複数の第１開口部の一例としての右方開口部５５Ｃとを有している。
【００７７】
段差部５５Ｄは、右上部５５Ａの後方部に位置している。段差部５５Ｄは、右上部５５Ａの右面から左方に向かってわずかに窪む段差部分である。
【００７８】
複数の右方開口部５５Ｃは、右上部５５Ａの中央部に位置しており、右上部５５Ａを左右方向に貫通している。複数の右方開口部５５Ｃのそれぞれは、側面視略矩形状を有している。複数の右方開口部５５Ｃは、前後方向、かつ、上下方向において、互いに間隔を隔てて整列するように位置している。複数の右方開口部５５Ｃは、段差部５５Ｄの前方に位置している。
【００７９】
前壁５６は、右壁５５の前端部、上壁５４の前端部、第２壁５３の前端部、および、第１壁５２の前端部に架設されている。前壁５６は、正面視略矩形の平板形状を有しており、上下方向に延びている。
【００８０】
後壁５７は、右壁５５の後端部、上壁５４の後端部、第２壁５３の後端部、および、第１壁５２の後端部に架設されている。後壁５７は、正面視略矩形の平板形状を有しており、上下方向に延びている。後壁５７の下方部分は、前方に向かって湾曲している。
【００８１】
下壁５８は、前壁５６の下端部、後壁５７の下端部、および、右壁５５の下端部に架設されている。下壁５８は、略前後方向に延びている。下壁５８は、下前方部５８Ａと、下弧状部５８Ｂと、下後方部５８Ｃとを備えている。
【００８２】
下前方部５８Ａは、下壁５８の前方部に位置している。下前方部５８Ａは、平面視略矩形の平板形状を有しており、後方に向かうにつれてやや下方に延びるように傾斜している。
【００８３】
下弧状部５８Ｂは、平面視略矩形であって、側面視において下方に向かって湾曲する板形状を有しており、下前方部５８Ａの後端から後下方に延びている。下弧状部５８Ｂの曲率半径は、後述するモータ本体７２の曲率半径とほぼ同じである。
【００８４】
下後方部５８Ｃは、平面略矩形の平板形状を有しており、下弧状部５８Ｂの後端から後方に延びている。
【００８５】
下壁５８、右下部５５Ｂ、前壁５６および後壁５７が、被覆部の一例である。下壁５８、右下部５５Ｂ、前壁５６および後壁５７は、後述するモータ７１を被覆している。詳しくは、下壁５８、右下部５５Ｂ、前壁５６および後壁５７は、後述するモータ７１の下面、右下面、前面および後面を隙間なく覆っている。
【００８６】
モータ支持部５１は、第１壁５２と、第２壁５３と、上壁５４と、右壁５５と、前壁５６と、後壁５７と、下壁５８とによって囲む空間において駆動源の一例としてのモータ７１を支持している。
（４）モータ
モータ７１は、モータ支持部５１内に位置している。モータ７１は、モータ本体７２と、モータ軸７３とを備えている。
【００８７】
モータ本体７２は、左右方向に延びる略円柱形状を有している。モータ本体７２の中央部は、左方に向かって突出している。モータ本体７２の上端は、上壁５４の上弧状部５４Ｃの下面に近接している。すなわち、モータ本体７２の上方は、上壁５４に囲われている。モータ本体７２の下端は、下壁５８の下弧状部５８Ｂの上面に近接している。すなわち、モータ本体７２の下方は、下壁５８に囲われている。モータ本体７２の右端は、前壁５６の左面と間隔を隔てて位置している。モータ本体７２の左端は、左右方向において、第１壁５２の右端部および下壁５８の左端部と同じ位置に位置している。モータ本体７２は、駆動基板の一例としてのモータ基板７５に取り付けられている。
【００８８】
モータ基板７５は、側面視略矩形の板形状を有しており、中央部に左右方向に貫通する貫通穴７５Ａを有している。モータ基板７５は、モータ本体７２の中央部分が貫通穴７５Ａを貫通するようにして、モータ本体７２の左面に取り付けられている。モータ基板７５の上端は、第１壁５２の下面に近接している。モータ基板７５の下端は、下壁５８の上面に近接している。すなわち、モータ基板７５は、左右方向において、モータ７１を挟んで右壁５５と反対側に位置している。また、モータ基板７５の上方において、第１壁５２は、第２壁５３の上端からモータ基板７５側に延びている。モータ基板７５は、モータ本体７２の動作を制御している。モータ基板７５には、フレキシブルケーブル７６が接続されている。
【００８９】
フレキシブルケーブル７６は、略帯形状のケーブルであって、モータ基板７５の上部の右面に接続されている。フレキシブルケーブル７６は、モータ基板７５の上部の右面から上方に延びた後、モータ基板７５の上端と第１壁５２との間の空間を通って左方に向かって延びてモータ支持部５１から外方に露出し、さらに、その後、下方に向かって延びている。すなわち、フレキシブルケーブル７６は、モータ基板７５に対して右壁５５と反対側に引き回されている。フレキシブルケーブル７６は、図示しない電源基板に接続されており、この電源基板とモータ基板７５とを電気的に接続している。
【００９０】
モータ軸７３は、モータ本体７２の中央部から左方に突出している。モータ軸７３は、左右方向に延びる軸線Ｂを中心として回転可能に構成されており、モータ本体７２の動作に連動して回転する。モータ軸７３の左端部には、図示しないギアが相対回転不能に取り付けられている。
（５）ギア機構
図４および図６に示すように、ギア機構８１は、フレーム４１の左面において、その前後方向中央部に位置している。ギア機構８１は、中間ギア８２と、伝達ギア８３とを備えている。
【００９１】
中間ギア８２は、フレーム４１の上端からやや下方であって、前後方向中央部に位置している。中間ギア８２は、フレーム４１の左面において、左右方向に延びる軸線まわりに回転可能に支持されている。中間ギア８２の上端部は、モータ軸７３のギアと歯合しており、モータ軸７３の回転に連動して回転する。
【００９２】
伝達ギア８３は、フレーム４１の上下方向中央部であって、前後方向中央部に位置している。伝達ギア８３は、左方に位置する大径ギアと、大径ギアの右方に位置し、大径ギアと軸を同一にする小径ギアを一体的に備えている。図５および図６に示すように、伝達ギア８３の大径ギアは、フレーム４１の左面から左方に突出しており、伝達ギア８３の小径ギアは、フレーム４１の右面から右方に突出している。伝達ギア８３は、フレーム４１において、左右方向に延びる軸線まわりに回転可能に支持されている。伝達ギア８３は、モータ支持部５１および中間ギア８２の下方に位置している。伝達ギア８３の大径ギアは、中間ギア８２の下端部と歯合している。伝達ギア８３は、中間ギア８２の回転に連動して回転する。図３および図５に示すように、伝達ギア８３の小径ギアは、凹部４３の後下方部に位置している。伝達ギア８３の小径ギアは、プロセスカートリッジ１５が凹部４３に係合する状態において、感光ドラム２０のドラムギア９０と係合するように構成されている。すなわち、伝達ギア８３は、感光ドラム２０のドラムギア９０に駆動力を付与するように構成されている。伝達ギア８３は、上下方向に投影したときに、モータ７１と重なっている。
３．モータ支持部の相対配置
モータ支持部５１は、凹部４３の後上方に位置している。モータ支持部５１は、側面視において、スキャナユニット１６の後方部分およびスキャナ支持部４２の後方部分と重なっている。詳しくは、側面視において、複数の右方開口部５５Ｃは、スキャナユニット１６の後方部分と重なっており、複数の中間開口部５４Ａ、および、複数の上方開口部５２Ａは、スキャナユニット１６およびスキャナ支持部４２よりも上方に位置している。また、右下部５５Ｂの下方部分、前壁５６の下方部分、後壁５７の下方部分、および、下壁５８は、スキャナユニット１６およびスキャナ支持部４２よりも下方に位置している。
４．モータの動作および排熱
本体ケーシング２にプロセスカートリッジ１５が装着された状態において、プロセスカートリッジ１５は、フレーム４１の凹部４３に係合するようにして支持されている。このとき、プロセスカートリッジ１５の感光ドラム２０のドラムギア９０は、伝達ギア８３の小径ギアと係合している。また、モータ７１は、プロセスカートリッジ１５に対して上方に位置している。
【００９３】
モータ基板７５の制御により、モータ本体７２が動作すると、これに連動してモータ軸７３が回転する。
【００９４】
すると、モータ軸７３の回転に連動して、中間ギア８２が回転する。また、中間ギア８２の回転に連動して、伝達ギア８３が回転する。
【００９５】
そして、伝達ギア８３の小径ギアが回転すると、これに連動して感光ドラム２０が回転する。
【００９６】
このとき、モータ７１の動作により、モータ７１は発熱する。モータ７１から発生した熱は、第１壁５２の上方開口部５２Ａ、上壁５４の中間開口部５４Ａ、および、右壁５５の右方開口部５５Ｃから排熱される。
５．作用効果
（１）このプリンタ１によれば、図４に示すように、フレーム４１には、モータ７１を囲って支持するモータ支持部５１が形成されている。
【００９７】
そのため、モータ支持部５１により、ユーザがモータ７１に直接触れることを抑制できる。
【００９８】
また、モータ支持部５１は、上方部分において、複数の上方開口部５２Ａ、複数の中間開口部５４Ａ、および、複数の右方開口部５５Ｃを有している。
【００９９】
そのため、複数の上方開口部５２Ａ、複数の中間開口部５４Ａ、および、複数の右方開口部５５Ｃを介して、モータ７１から発生する熱を排熱できる。
（２）また、このプリンタ１によれば、図３に示すように、プロセスカートリッジ１５を本体ケーシング２に装着した場合には、モータ７１は、プロセスカートリッジ１５に対して上方に位置する。
【０１００】
そのため、モータ７１から発生する熱がプロセスカートリッジ１５に作用することを抑制できる。
【０１０１】
その結果、プロセスカートリッジ１５の安定的な動作を保つことができる。
【０１０２】
また、複数の上方開口部５２Ａ、複数の中間開口部５４Ａ、および、複数の右方開口部５５Ｃが、プロセスカートリッジ１５に対して上方に位置する。
【０１０３】
その結果、モータ７１の周りの熱を排熱する際に、プロセスカートリッジ１５が排熱の妨げになることを防ぐことができる。
（３）また、このプリンタ１によれば、図５に示すように、モータ支持部５１の上方部分に、複数の上方開口部５２Ａ、複数の中間開口部５４Ａ、および、複数の右方開口部５５Ｃが位置する。一方、モータ支持部５１の下方部分は、右下部５５Ｂ、前壁５６の下方部分、後壁５７の下方部分、および、下壁５８によって構成されている。すなわち、下壁５８、右下部５５Ｂ、前壁５６および後壁５７は、モータ７１の下面、右下面、前面および後面を隙間なく覆っている。
【０１０４】
そのため、モータ支持部５１の下方部分において、ユーザがモータ７１に直接触れることを抑制できる。
（４）また、このプリンタ１によれば、図４に示すように、上下方向に投影したときにモータ７１と伝達ギア８３とが重なる。
【０１０５】
そのため、プリンタ１が前後方向および左右方向に拡がることを抑制できる。
【０１０６】
その結果、プリンタ１を小型化できる。
（５）また、このプリンタ１によれば、図４に示すように、第１壁５２は、モータ基板７５に対して上方に位置する。
【０１０７】
そのため、第１壁５２よって、モータ基板７５を保護することができる。
【０１０８】
また、第１壁５２は、複数の上方開口部５２Ａを有する。
【０１０９】
そのため、上方開口部５２Ａを介してモータ７１から発生する熱を排熱できる。
（６）また、このプリンタ１によれば、図４に示すように、フレキシブルケーブル７６は、モータ基板７５の上部の右面から上方に延びている。
【０１１０】
そのため、プリンタ１内において、スペースを有効活用してフレキシブルケーブル７６を配置することができる。
【０１１１】
また、モータ７１から離れる方向に延びているため、モータ７１から発生する熱がフレキシブルケーブル７６に作用することを抑制できる。
（７）また、このプリンタ１によれば、図４に示すように、フレキシブルケーブル７６は、第１壁５２とモータ基板７５の上端との間を通って左方に延びている。
【０１１２】
そのため、フレキシブルケーブル７６を第１壁５２によって保護できる。
【０１１３】
また、フレキシブルケーブル７６は、モータ基板７５に対して右壁５５と反対側に引き回されている。
【０１１４】
そのため、プリンタ１内において、スペースを有効活用してフレキシブルケーブル７６を配置することができる。
６．変形例
本実施形態では、複数の第１開口部の一例として、中間開口部５４Ａと右方開口部５５Ｃを備える実施形態を例示したが、中間開口部５４Ａまたは右方開口部５５Ｃのいずれか一方のみを備えていてもよい。
【符号の説明】
【０１１５】
１      プリンタ
２      本体ケーシング
１５    プロセスカートリッジ
２０    感光ドラム
４１    フレーム
５１    モータ支持部
５２    第１壁
５２Ａ  上方開口部
５３    第２壁
５４    上壁
５５    右壁
５５    右開口部
７１    モータ
７５    モータ基板
７６    フレキシブルケーブル
８１    ギア機構
８３    伝達ギア
【図１】
2015087588.tif 000003
【図２】
2015087588.tif 000004
【図３】
2015087588.tif 000005
【図４】
2015087588.tif 000006
【図５】
2015087588.tif 000007
【図６】
2015087588.tif 000008